(57)【要約】【課題】肩紐が無くても乳房カップを乳房の位置に確実に保持することを可能とする。【解決手段】左右のカップ部１０，１０と、脇から背中部分にかけて巻き付けるように装着する左右のパネル部２０，２０と、各パネル部２０，２０の先端部に取り付けられた互いに係止する係止部３０，３０とからなり、パネル部２０は、伸縮性を有する裏側の第１パネル部２１と、この第１パネル部２１よりも伸縮性の少ない表側の第２パネル部２２とを重ね合わせた２重構造となっている。この第１パネル部２１と第２パネル部２２とは、カップ部１０側端部である脇腹部分１１と係止部側端部３１とにおいてのみ互いに縫着されており、それ以外のところは互いに自由に伸張動作が行えるようになっている。【選択図】図１
2007107121.tif 000002
【特許請求の範囲】
【請求項１】
左右のカップ部と、脇から背中部分にかけて巻き付けるように装着するパネル部と、パネル部の先端部に設けられた互いに係止する係止部とからなるブラジャーにおいて、
前記パネル部が、伸縮性を有する第１パネル部と、この第１パネル部よりも伸縮性の少ない第２パネル部とを重ね合わせた２重構造となっており、この第１パネル部と第２パネル部とは、前記カップ部側端部と前記係止部側端部とにおいてのみ互いに縫着されていることを特徴とするブラジャー。
【請求項２】
伸張前の状態において、前記第２パネル部の方が前記第１パネル部よりも若干長くなるように形成されていることを特徴とするブラジャー。
【発明の詳細な説明】
【技術分野】
【０００１】
本発明は、左右のカップ部と、脇から背中部分にかけて巻き付けるように装着するパネル部と、パネル部の先端部に設けられた互いに係止する係止部とからなるブラジャーに関する。
【背景技術】
【０００２】
従来から、適度な圧着による衣類のフィット性や引き締め力を有しながら、テープやゴム素材による胸部への線状の締め付けや皮膚への圧迫のない肌ざわりのよいバック部を有する衣類（ブラジャー）が提案されている（例えば、特許文献１参照）。
【０００３】
このバック部を有する衣類は、バック部の少なくとも脇部に相対する部分が、２重に重ねた状態の伸縮性を有する布地から構成されている。具体的には、このバック部は、上辺部及び下辺部を固着した筒状のパーツ構造となるように形成されている。または、１枚の布片を上辺部あるいは下辺部の一方が折り線となるよう２つ折りにし、上辺部あるいは下辺部の他方を固着した筒状のパーツ構造となるように形成されている。さらには、２枚の布片をそれぞれ２つ折りにし、それぞれの折り線が上辺部および下辺部となるよう配置して、布端部を互いに固着した筒状のパーツ構造となるように形成されている。
【０００４】
このように、伸縮性を有する布片を２重に重ねることで、フィット性や引き締め力を得るようになっている。
【特許文献１】特開平１１−６１５１０号公報
【発明の開示】
【発明が解決しようとする課題】
【０００５】
しかし、上記特許文献１に記載のブラジャーは、バック部を、伸縮性を有する布地を筒状に形成することで２重構造としている。つまり、同じ伸縮強度を有する布地を２重に重ねた構造となっており、しかも筒状であることから、その上辺部と下辺部とは全長に渡って全て繋がった状態となっている。そのため、重なった２枚の布地はそれぞれが異なった伸縮動作を行うことができず、常に同じ伸縮動作を行うことになるため、バック部全体としての伸縮性に余裕がない、といった問題があった。従って、装着する人の体型によっては、強く締め付け過ぎたり、また逆に弱くて締め付け効果が得られないといった問題が発生する。
【０００６】
本発明はかかる問題点を解決すべく創案されたもので、その目的は、脇から背中部分にかけて巻き付けるように装着するパネル部（上記特許文献１のバック部に相当する）を２重構造とするとともに、２重に重ねた各布片がそれぞれ自由に伸縮できる構造とすることで、肩紐がなくてもずり落ちることのない、フィット性に優れたブラジャーを提供することにある。
【課題を解決するための手段】
【０００７】
上記課題を解決するため、本発明のブラジャーは、左右のカップ部と、脇から背中部分にかけて巻き付けるように装着するパネル部と、パネル部の先端部に設けられた互いに係止する係止部とからなるブラジャーにおいて、前記パネル部が、伸縮性を有する第１パネル部と、この第１パネル部よりも伸縮性の少ない第２パネル部とを重ね合わせた２重構造となっており、この第１パネル部と第２パネル部とは、前記カップ部側端部と前記係止部側端部とにおいてのみ互いに縫着されていることを特徴とする。また、第１パネル部と第２パネル部とは、伸張前の状態において、第２パネル部の方が第１パネル部よりも若干長くなるように形成されている。
【０００８】
このような構成とすれば、人体への装着時、第１パネル部と第２パネル部とが、互いの伸張動作を阻害することなく、それぞれの伸縮強度に応じて個別に伸張し、人体へ装着したときには、第１パネル部及び第２パネル部とも、それぞれ最適な伸張強度となっている。これにより、パネル部が人体にフィットし、肩紐がなくてもずり落ちることがない。そのため、本発明のブラジャーでは、肩紐が不要な構造となっている。
【発明の効果】
【０００９】
本発明は上記のように構成したので、人体への装着時、第１パネル部と第２パネル部とが、互いの伸張動作を阻害することなく、それぞれの伸縮強度に応じて個別に伸張し、人体への装着完了時には、第１パネル部及び第２パネル部とも、それぞれ最適な伸張強度となっているので、この状態で腕を上げたり体を前後左右に屈曲させたりしても、パネル部が人体にフィットしてずり落ちることがない。
【発明を実施するための最良の形態】
【００１０】
以下、本発明の実施の形態について、図面を参照して説明する。
【００１１】
図１は、本実施形態のブラジャー１を示している。
【００１２】
このブラジャー１は、左右のカップ部１０，１０と、脇から背中部分にかけて巻き付けるように装着する左右のパネル部２０，２０と、各パネル部２０，２０の先端部に取り付けられた互いに係止する係止部３０，３０とからなる。カップ部１０とパネル部２０とは、脇腹部分１１で縫着されている。
【００１３】
パネル部２０は、伸縮性を有する裏側の第１パネル部２１と、この第１パネル部２１よりも伸縮性の少ない表側の第２パネル部２２とを重ね合わせた２重構造となっている。また、この第１パネル部２１と第２パネル部２２とは、カップ部１０側端部である脇腹部分１１と係止部側端部３１とにおいてのみ互いに縫着されており、それ以外のところは互いに自由に伸張動作が行えるようになっている。また、伸張前の状態において、表側の第２パネル部２２の方が、裏側の第１パネル部２１よりも若干長くなるように形成されている。すなわち、伸張前の状態では、第１パネル部２１が若干弛んだ状態となっている。
【００１４】
ここで、本実施形態では、裏側の第１パネル部２１は、伸縮性のある２本のテープ部材２１１，２１２によって構成されており、各テープ部材２１１，２１２の一端部２１１ａ，２１２ａが、カップ部１０の脇腹部分１１の上端部と下端部とにそれぞれ縫着されており、他端部２１１ｂ，２１２ｂ側は重ね合わせるように１つにまとめて係止部側端部３１で縫着されている。すなわち、２本のテープ部材２１１，２１２が横向きの三角形状に形成されている。
【００１５】
一方、表側の第２パネル部２２は、テープ２１１，２１２よりも伸縮性の少ないレース部材によって形成されている。第２パネル部材２２をレース部材とすることによって、意匠的な効果も得られるようになっている。
【００１６】
また、左右の係止部３０，３０には、それぞれ片方の係止金具３０ａ，３０ｂが取り付けられており、互いを係止することで止めることができるようになっている。因みに、正面から見て左側の係止金具３０ａは引っかける側の鍵フック、右側の係止金具３０ｂは引っかけられる側のＵ字フックとなっている。
【００１７】
このような構成とすれば、人体への装着時、第１パネル部２１と第２パネル部２２とが、互いの伸張動作を阻害することなく、それぞれの伸縮性能に応じて個別に伸張し、人体へ装着したときには、第１パネル部２１及び第２パネル部２２とも、それぞれ最適な伸張度合いとなっている。このように、伸縮性の異なる２種類のパネル部がそれぞれの伸縮性能に合わせて個別に伸張することで、パネル部２０が人体にフィットし、肩紐がなくてもずり落ちることがない。そのため、本実施形態のブラジャー１では、肩紐が不要な構造となっている。
【００１８】
図２は、本実施形態のブラジャー１の変形例を示している。
【００１９】
すなわち、図２に示すブラジャー１と図１に示すブラジャー１との違いは、図２に示すブラジャー１が、第１パネル部２１が横長の三角形状に形成された１枚のパネルで構成されている点のみであり、その他の構成は図１に示すブラジャー１と同様である。このように、第１パネル部２１を１枚もので形成することによって、部材点数を減らすことが可能となる。
【図面の簡単な説明】
【００２０】
【図１】本発明の一実施の形態に係るブラジャーを示す斜視図である。
【図２】図１に示すブラジャーの変形例を示す斜視図である。
【符号の説明】
【００２１】
１  ブラジャー
１０  カップ部
２０  パネル部
２１  第１パネル部
２２  第２パネル部
２１１，２１２  テープ部材
３０  係止部
３０ａ，３０ｂ  係止金具
【図１】
2007107121.tif 000003
【図２】
2007107121.tif 000004